(57)【特許請求の範囲】
【請求項１】
側壁部と、底壁部と、外蓋部とを備え、前記側壁部および前記底壁部によって形成される空間に被梱包物を収容し、前記外蓋部で前記被梱包物の上方側を閉じて前記被梱包物を梱包する梱包箱であって、
前記外蓋部には、前記外蓋部から連なって延び、前記外蓋部を前記側壁部側に閉じる際に用いられ、折り曲げ可能に構成されているタックと、前記タックから延出し、前記タックに対して折り曲げ可能に構成されている延出部とが設けられており、
前記側壁部側には、折り曲げられた前記タックおよび前記延出部を挿入可能な挿入孔が設けられており、
前記タックおよび前記延出部を折り曲げて前記挿入孔に挿入した際に、折り曲げられた前記延出部と前記挿入孔を構成する壁部とが引っ掛かることにより、前記側壁部側に対して前記外蓋部が閉じた状態を維持するようロックされており、
前記側壁部側には、前記梱包箱の外部から前記挿入孔に挿入された前記延出部に至る経路上に、前記側壁部から連なって前記外蓋部の内側に配置される内蓋部が設けられており、前記内蓋部から前記経路に延びる突出部を含み、他の部材と前記挿入孔に挿入された前記延出部との接触を阻害する阻害機構が設けられている、梱包箱。
【請求項２】
前記突出部は、折り曲げられて形成されている、請求項１に記載の梱包箱。
【請求項３】
前記延出部は、前記タックの両端部に一対設けられており、
前記突出部は、一対の前記延出部に対応して一対設けられている、請求項１または２に記載の梱包箱。
【請求項４】
折り曲げられた際に復元力を有する材質の一枚の板状部材から構成されている、請求項１〜３のいずれか１項に記載の梱包箱。
【発明の詳細な説明】
【技術分野】
【０００１】
この発明は、梱包箱に関するものである。
【背景技術】
【０００２】
デジタル複合機に代表される画像形成装置や情報機器等、精密な装置や機器の搬送に際しては、搬送時の装置の破損や損傷を防ぐ等の目的で、装置の梱包が行われる。装置の梱包は、段ボール等を素材とした梱包箱が用いられる場合がある。
【０００３】
ここで、装置や機器の梱包に関する技術が、特開２００３−１２８０５３号公報（特許文献１）、特開２００４−５１２０２号公報（特許文献２）、特開２００９−１３７５９８号公報（特許文献３）、特開２００８−９４４３４号公報（特許文献４）、および特開２００７−５０９２０号公報（特許文献５）に開示されている。
【０００４】
特許文献１によると、底面を囲む形で連設する四側面に展開される六面体の組み立て式段ボール製梱包箱において、底面に収納物（内容物）を確認するための適度な縁を残し大きな開口部を設けて形成させる組み立て式段ボール製梱包箱が開示されている。
【０００５】
特許文献２によると、緩衝材で形成され、被梱包製品の下面および四側面と梱包箱の内面との間のクリアランスを保つ梱包用緩衝材において、緩衝材は一枚の段ボールシートから成り、両側部に断面がほぼ矩形の矩形スリーブを設け、この矩形スリーブと直角を成し断面がほぼコの字状のコの字スリーブを設け、コの字スリーブの両端上部で矩形スリーブの両端上部をロックするよう構成した梱包用緩衝材が開示されている。
【０００６】
また、特許文献３に開示の梱包箱は、底板、側板および天板を連設して横筒体を形成し、底板に山折線を、天板に谷折線をそれぞれ両端に亘って複数本平行に入れ、底板を山折線に沿って下面が付き出すように折り曲げると共に、天板を谷折線に沿って上面が窪むように折り曲げ、積み上げ状態で、下段側の箱の天面に上段側の箱の底面が嵌まり込むようにしている。また、底板、側板および天板からそれぞれ端板を延出し、これらを噛み合わせて横筒体の端面を閉止すると共に、横筒体の形状を維持するようにし、さらに、側板から延びる端板に突片を設け、この端板と天板から延びる端板とを突片により噛み合わせた状態で、底板から延びる端板を噛み合わせるようにしている。そして、底板の一端に連設した外立板を起立させ、外立板の両側に連設した側立板の下部を側板の外面に重ね、側立板に連設した内立板を外立板に対向させて縦筒体を形成し、側板の柱片を縦筒体で巻き込み、側立板の下部に設けたロック片を側板の下部のロック穴に差し込むようにしている。
【０００７】
特許文献４に開示のオートロックボトム式の段ボール製梱包箱は、四角筒状の組み立て状態と扁平状の折り畳み状態に変形自在な多層段ボール製スリーブの底部を、オートロック式の底壁部で塞ぐようにしている。また、スリーブは、縦罫線を介して並列連設状となる四枚の側壁部が三層以上の多層段ボールシートからなると共に、組み立て状態において対角に位置する一対の縦罫線に沿って扁平状に折り畳み可能に形成されている。また、オートロック式の底壁部は、スリーブにおける一対の縦罫線の各々において左右に隣り合わせる側壁部の下縁に貼り付けた一方および他方の底壁構成板で形成されている。そして、スリーブを扁平状に折り畳んだ際に各底壁構成板も折り畳まれる一方、スリーブを四角筒状に組み立てた際に各底壁構成板が拡開してスリーブの底部を塞ぐよう形成したことを特徴としている。
【０００８】
特許文献５によると、自動車バンパーの梱包箱は、バンパーの中間部分を包み込む中箱部と、バンパーの両側部分を包み込む一対の側箱部とを、基板、対向する縁板および蓋板から形成している。また、自動車バンパーの梱包箱は、中箱部から一対の側箱部へかけて、縁板をバンパーの中間部分と両側部分のなす角度に応じて屈曲させ、中箱部では、基板に縁板を直接繋ぎ、側箱部では、バンパーの両側部分の形状に応じて基板をテーパー状とし、基板と縁板との間に折込片を介在させ、中箱部と側箱部の境界の罫線に沿って基板および縁板を折り曲げつつ、折込片をその中央の谷折線に沿って折り込むこととしている。
【先行技術文献】
【特許文献】
【０００９】
【特許文献１】特開２００３−１２８０５３号公報
【特許文献２】特開２００４−５１２０２号公報
【特許文献３】特開２００９−１３７５９８号公報
【特許文献４】特開２００８−９４４３４号公報
【特許文献５】特開２００７−５０９２０号公報
【発明の概要】
【発明が解決しようとする課題】
【００１０】
上記したような用途に用いられる梱包箱等は、一般的には略直方体の形状である。このような形状の梱包箱は主に、四つの側壁部と、底壁部と、外蓋部とから構成されている。被梱包物は、四つの側壁部および底壁部から形成される空間に外蓋部側から収容された後に、外蓋部が閉じられ、梱包される。この場合、容易に外蓋部が開かないように、梱包箱には、ロック機構が設けられている。具体的には、側壁部側に設けられた挿通孔に、外蓋部側に設けられたタックおよび延出部をそれぞれ折り曲げて差し込むようにして挿入する。そうすると、折り曲げられた延出部が挿入孔に挿入された後に復元して元の形状、すなわち、折り曲げられる前の状態にある程度戻る。その結果、挿通孔を構成する壁部と延出部とが引っ掛かり、閉じた外蓋部が開かないロック機構を構成する。このようなロック機構は、接着剤等を用いる必要がなく、簡易な構成であるため、広く利用される。
【００１１】
しかし、このようなロック機構であると、側壁部と外蓋部との隙間から棒状の部材や薄板状の部材を差し込んで延出部と薄板状の部材の先端部を接触させ、延出部を薄板状の部材で押して再び挿入時の折り曲げた状態とすることができる。そうすると、この状態を維持したまま挿入孔からタックおよび延出部を引き抜くことができれば、ロック機構が解除されてしまうこととなる。このような状況は、好ましくない。また、上記した特許文献１〜特許文献５に開示の技術では、このような場合に対応することができない。
【００１２】
この発明の目的は、ロックを解除することが困難な梱包箱を提供することである。
【課題を解決するための手段】
【００１３】
この発明の一の局面においては、梱包箱は、側壁部と、底壁部と、外蓋部とを含む。梱包箱は、側壁部および底壁部によって形成される空間に被梱包物を収容し、外蓋部で被梱包物の上方側を閉じて被梱包物を梱包する。外蓋部には、外蓋部から連なって延び、外蓋部を側壁部側に閉じる際に用いられ、折り曲げ可能に構成されているタックと、タックから延出し、タックに対して折り曲げ可能に構成されている延出部とが設けられている。側壁部側には、折り曲げられたタックおよび延出部を挿入可能な挿入孔が設けられている。タックおよび延出部を折り曲げて挿入孔に挿入した際に、折り曲げられた延出部と挿入孔を構成する壁部とが引っ掛かることにより、側壁部側に対して外蓋部が閉じた状態を維持するようロックされている。側壁部側には、梱包箱の外部から挿入孔に挿入された延出部に至る経路上に、側壁部から連なって外蓋部の内側に配置される内蓋部が設けられており、内蓋部から経路に延びる突出部を含み、他の部材と挿入孔に挿入された延出部との接触を阻害する阻害機構が設けられている。
【発明の効果】
【００１４】
このような梱包箱によると、梱包箱の外部から挿入孔に挿入された延出部に至る経路上に、他の部材と挿入孔に挿入された延出部との接触を阻害する阻害機構が設けられているため、梱包箱の外部から棒状の部材等により延出部を折り曲げた状態とすることができない。したがって、このような梱包箱は、ロックを解除することが困難となる。
【図面の簡単な説明】
【００１５】
【図１】この発明の一実施形態に係る梱包箱の概略斜視図である。
【図２】この発明の一実施形態に係る梱包箱を組み立てる前の段ボール部材を示す展開図である。
【図３】図２に示す段ボール部材のうち、後述する突出部を設けていない状態を示す展開図である。
【図４】内部にトナーカートリッジを収容して梱包箱を組み立てる際の代表的な工程を示すフローチャートである。
【図５】延出部を内方側に折り返すようにして折り曲げた状態を示す図である。
【図６】一対の延出部を折り曲げた状態を維持したまま、タックおよび一対の延出部を挿入孔に挿入する状態を示す図である。
【図７】組み立てられた梱包箱に薄板状の部材を隙間に挿入した状態を示す図であり、外方側から見た場合を示す。
【図８】組み立てられた梱包箱に薄板状の部材を隙間に挿入した状態を示す図であり、内方側から見た場合を示す。
【発明を実施するための形態】
【００１６】
以下、この発明の実施の形態を説明する。図１は、この発明の一実施形態に係る梱包箱の概略斜視図である。図２は、この発明の一実施形態に係る梱包箱を組み立てる前の段ボール部材を示す展開図である。図３は、図２に示す段ボール部材のうち、後述する突出部を設けていない状態を示す展開図である。なお、理解の容易の観点から、図２および図３中の矢印Ｄ１で示す方向を、下から上に向かう方向とする。また、図２および図３中の矢印Ｄ２で示す方向を、左から右に向かう方向とする。
【００１７】
図１〜図３を参照して、この発明の一実施形態に係る梱包箱１１は、いわゆる略直方体の形状である。梱包箱１１は、折り曲げられた際に復元力を有する材質の一枚の板状部材から構成されている。具体的には、梱包箱１１は、段ボール部材１２ａを組み立てて形成される。
【００１８】
図２に示す展開図から把握できるように、梱包箱１１は、例えば、一枚の矩形状の段ボール部材を準備した後、図１に示す形状に段ボール部材を打ち抜き、一点鎖線で示す折り曲げ部で順次折り曲げていって形成される。梱包箱１１には、例えば、画像形成装置における消耗品となる現像ユニットや、トナーカートリッジ等が被梱包物として収容される。図１においては、ビニール袋に包まれた被梱包物としてのトナーカートリッジ１３が梱包されている。
【００１９】
梱包箱１１は、その内方側にトナーカートリッジ１３が収容された場合に側方側に位置する側壁部１４ａと、トナーカートリッジ１３の下方側に位置する底壁部１５ａと、主にトナーカートリッジ１３の上方側に位置する一対の内フラップ１６ａ、１７ａと、同じく主にトナーカートリッジ１３の上方側に位置する一対の外フラップ１８ａ、１９ａとを備える。
【００２０】
折り曲げて梱包箱１１が形成される段ボール部材１２ａは、側壁部１４ａを構成する四つの側壁構成部２１ａ、２１ｂ、２１ｃ、２１ｄと、底壁部１５ａを構成する四つの底壁構成部２２ａ、２２ｂ、２２ｃ、２２ｄと、内フラップ１６ａ、１７ａと、外フラップ１８ａから構成される外蓋部３１と、外フラップ１９ａから構成される内蓋部４１ａ、４２ａと、同じく外フラップ１９ａから構成され、梱包箱１１内において被梱包物の移動を規制する仕切り部４３とを備える。
【００２１】
このような段ボール部材１２ａから形成される梱包箱１１は、側壁部１４ａと、底壁部１５ａと、外蓋部３１とを備える構成である。また、梱包箱１１は、側壁部１４ａおよび底壁部１５ａによって形成される空間にトナーカートリッジ１３を収容し、外蓋部３１でトナーカートリッジ１３の上方側を閉じてトナーカートリッジ１３を梱包する。
【００２２】
四つの底壁構成部２２ａ、２２ｂ、２２ｃ、２２ｄはそれぞれ、四つの側壁構成部２１ａ〜２１ｄの下端部からそれぞれ連なって設けられている。外蓋部３１は、側壁構成部２１ａの上端部から連なって設けられている。外蓋部３１は、梱包箱１１が組み立てられた際に、いわゆる天の位置の最も外側に配置される。内蓋部４１ａ、４２ａは、側壁構成部２１ｃの上端部から連なって設けられている。内蓋部４１ａ、４２ａは、梱包箱１１が組み立てられた際に、外蓋部３１の内側、すなわち、トナーカートリッジ１３が収容される空間側に配置される。
【００２３】
一対の内フラップ１６ａ、１７ａは、側壁構成部２１ｂ、２１ｄの上端部からそれぞれ連なって設けられている。一対の内フラップ１６ａ、１７ａについても、梱包箱１１が組み立てられた際に、外蓋部３１の内側に配置される。なお、側壁構成部２１ｄの上端部からの内フラップ１７ａの長さは、側壁構成部２１ｂの上端部からの内フラップ１６ａの長さよりも長く構成されている。内フラップ１７ａは、複数の箇所で折り曲げが可能に構成されている。内フラップ１７ａは、トナーカートリッジ１３を収容した際に、トナーカートリッジ１３の外形形状に沿って、適宜折り曲げられる。
【００２４】
四つの側壁構成部２１ａ〜２１ｄは、それぞれ平板状であって、それぞれ左右方向に連なって設けられている。四つの側壁構成部２１ａ〜２１ｄのそれぞれの境界には、一点鎖線で示される折り曲げ部が位置する。側壁構成部２１ａ、２１ｃはそれぞれ、左右方向に長い矩形状に構成されている。側壁構成部２１ｂ、２１ｄはそれぞれ、上下方向にやや長い矩形状に構成されている。四つの側壁構成部２１ａ〜２１ｄの上下方向の長さは同じである。側壁構成部２１ｂ、２１ｄのそれぞれの左右方向の長さは、おおよそ側壁構成部２１ａ、２１ｃの３分の１程度であるよう構成されている。
【００２５】
側壁構成部２１ａ〜２１ｄは、上下方向から見た場合に、その外形が矩形状となるように、それぞれの間に位置する折り曲げ部で折り曲げられる。すなわち、側壁構成部２１ａ〜２１ｄは、隣り合う側壁構成部２１ａ〜２１ｄに対して、それぞれ約９０度に折り曲げられる。そして、側壁構成部２１ａの左側に連なって設けられるグルーフラップ２３と側壁構成部２１ｄとを、接着剤等により貼付することにより、側壁構成部２１ａ〜２１ｄは、四角筒状に形成される。このようにして側壁部１４ａが形成される。
【００２６】
底壁部１５ａは、側壁構成部２１ａ〜２１ｄを矩形状に折り曲げた際に、四つの底壁構成部２２ａ、２２ｂ、２２ｃ、２２ｄを組み合わせて形成されている。底壁部１５ａは、梱包箱１１が組み立てられた際に、いわゆる地の位置に配置される。底板部１５ａは、トナーカートリッジ１３が、載置される部分となる。四つの底壁構成部２２ａ〜２２ｄには、それぞれ係合する凹部や凸部が設けられている。四つの側壁構成部２１ａ〜２１ｄは、一点鎖線で示す折り曲げ部によって折り曲げられた際に、これら底壁構成部２２ａ〜２２ｄに設けられる凹部の凹みや凸部の突出を互いに嵌め込むようにして組み合わされる。
【００２７】
一対の内フラップ１６ａ、１７ａは、側壁構成部２１ａ〜２１ｄを矩形状に折り曲げた後であって、トナーカートリッジ１３を収容する前後に、内方側に折り曲げられて形成される。この場合、一方の内フラップ１７ａについては、トナーカートリッジ１３を収容する前、他方の内フラップ１６ａについては、トナーカートリッジ１３を収容した後に折り曲げられる。
【００２８】
外フラップ１８ａから形成される外蓋部３１は、側壁構成部２２ａとの境目となる折り曲げ部２４に沿って折り曲げられ、梱包箱１１の外蓋を構成する。外蓋部３１には、左右方向に延びる一対のミシン目３２ａ、３２ｂが設けられている。また、ミシン目３２ａ、３２ｂの左右方向の両端部付近には、切り欠き３３ａ、３３ｂが設けられている。これら切り欠き３３ａ、３３ｂに指を通して、所定の箇所から梱包箱１１を取り出しやすくすることができる。また、ミシン目３２ａ、３２ｂに沿って外蓋部３１の一部３４を引っ張って破り、後述するロック機構を解除せずに外蓋部３１を開けることができる。また、ミシン目３２ｂの左右方向の両端の近い位置に、さらにミシン目３５ａ、３５ｂ、３６ａ、３６ｂが設けられている。このミシン目３５ａ、３５ｂ、３６ａ、３６ｂに沿って外蓋部３１の一部を破ることにより、外蓋部３１の一部に厚み方向に貫通する貫通穴を開けることもできる。
【００２９】
外蓋部３１の上方側の端部には、上方側、すなわち、矢印Ｄ１の方向に延びるタック３７が設けられている。このタック３７は、外蓋部３１から連なって延びるように、具体的には、上方側のミシン目３２ａが設けられた位置から連なって上方側に延びるように設けられている。タック３７は、左右方向に長い矩形状である。タック３７は、ミシン目３２ａに沿って、折り曲げることができる。すなわち、タック３７は、折り曲げ可能に構成されている。タック３７は、外蓋部３１を側壁部１４ａ側に閉じる際に用いられる。
【００３０】
また、外蓋部３１には、タック３７の左右方向、すなわち、矢印Ｄ２の方向およびその逆の方向に位置する両端部側にそれぞれ延出する一対の延出部３８ａ、３８ｂが設けられている。一対の延出部３８ａ、３８ｂはそれぞれ左右方向に延出するように設けられている。一対の延出部３８ａ、３８ｂはそれぞれ、折り曲げ部３９ａ、３９ｂに沿って折り曲げることができる。すなわち、一対の延出部３８ａ、３８ｂはそれぞれ、タック３７に対して折り曲げ可能に構成されている。一対の延出部３８ａ、３８ｂのそれぞれの上下方向の長さは、タック３７の上下方向の長さに対して、若干短く構成されている。
【００３１】
外フラップ１９ａは、上記した一対の内フラップ１６ａ、１７ａと同様に、側壁構成部２１ａ〜２１ｄを矩形状に折り曲げた後であって、トナーカートリッジ１３を収容する前後に、内方側に折り曲げられる。外フラップ１９ａは、折り曲げ部２５ａで折り曲げられ、内蓋部４１ａ、４２ａを形成する。さらに、外フラップ１９ａは、折り曲げ部２５ｂで折り曲げられて、梱包箱１１の内部の空間を上下方向に延びるようにして仕切る仕切り部４３を形成する。仕切り部４３は、梱包箱１１の内部に収容されたトナーカートリッジ１３の移動を規制する。
【００３２】
外フラップ１９ａには、タック３７および一対の延出部３８ａ、３８ｂを挿通させることができる挿入孔４４ａが設けられている。挿入孔４４ａが設けられている左右方向の幅Ｌ１は、タック３７の左右方向の幅Ｌ２よりもやや広く構成されている。内蓋部４１ａ、４２ａは、挿入孔４４ａによって左右方向に分断された構成である。なお、内蓋部４１ａ、４２ａには、挿入孔４４ａ側に張り出した張り出し部４５ａ、４５ｂが設けられている。この張り出し部４５ａ、４５ｂと、挿入孔４４ａに挿入された後に元の形状にある程度戻った一対の延出部３８ａ、３８ｂとが干渉して、ロック機構を構成する。
【００３３】
なお、仕切り部４３側からも、挿入孔４４ａ側に張り出す矩形状の張り出し部４７が設けられている。この張り出し部４７についても、折り曲げられ、収容されたトナーカートリッジ１３の移動を規制するために用いられる。また、折り曲げ部２５ｂによって折り曲げやすくなるように、挿入孔４４ａの左右側に、それぞれ左右方向に細長い一対の貫通孔４６ａ、４６ｂも設けられている。
【００３４】
ここで、内蓋部４１ａには、図２において、左方向の端部から外方側、すなわち、矢印Ｄ２の方向と逆の方向で示す左方向に突出する突出部４８ａが設けられている。また、内蓋部４２ａには、図２において、右方向の端部から外方側、すなわち、矢印Ｄ２の方向で示す右方向に突出する突出部４８ｂが設けられている。すなわち、内蓋部４１ａ、４２ａには、それぞれ外方側の端部から外方側に向かって突出する一対の突出部４８ａ、４８ｂが設けられている。
【００３５】
一対の突出部４８ａ、４８ｂは、それぞれ略矩形状に設けられている。図２中の長さＬ４で示される突出部４８ａの突出している長さは、図２中の長さＬ３で示される延出部３８ａの延出している長さよりも長く構成されている。突出部４８ｂの長さと延出部３８ｂの長さとの関係も同様である。一対の突出部４８ａ、４８ｂはそれぞれ、折り曲げ部４９ａ、４９ｂに沿って内方側に折り曲げられる。すなわち、突出部４８ａ、４８ｂはそれぞれ、内蓋部４１ａ、４２ａに対して折り曲げ可能に構成されている。
【００３６】
折り曲げられた一対の突出部４８ａ、４８ｂは、梱包箱１１の外部から、挿入孔４４ａに挿入された一対の延出部３８ａ、３８ｂに至る経路上に位置することになる。一対の突出部４８ａ、４８ｂは、他の部材と挿入孔４４ａに挿入された一対の延出部３８ａ、３８ｂとの接触を阻害する阻害機構を構成する。
【００３７】
なお、一対の突出部４８ａ、４８ｂが設けられていない梱包箱の展開図は、図３に示す通りとなる。すなわち、段ボール部材１２ｂは、その内方側にトナーカートリッジ１３が収容された場合に側方側に位置する側壁部１４ｂと、トナーカートリッジ１３の下方側に位置する底壁部１５ｂと、主にトナーカートリッジ１３の上方側に位置する一対の内フラップ１６ｂ、１７ｂと、同じく主にトナーカートリッジ１３の上方側に位置する一対の外フラップ１８ｂ、１９ｂとを備える。挿入孔４４ｂに分断される内壁部４１ｂ、４２ｂにおいて、それぞれ外方側の端部から外方側に向かって突出する一対の突出部は設けられていない構成である。
【００３８】
次に、段ボール部材１２ａから梱包箱１１を組み立てる組み立て方について説明する。図４は、内部にトナーカートリッジ１３を収容して梱包箱１１を組み立てる際の代表的な工程を示すフローチャートである。
【００３９】
図４を参照して、まず、図２に示す形状の段ボール部材１２ａを準備し、側壁構成部２１ａ〜２１ｄを折り曲げ部に沿ってそれぞれ折り曲げる（図４において、ステップＳ１１、以下、「ステップ」を省略する）。この場合、隣り合う側壁構成部２１ａ〜２１ｄ同士のなす角度が、おおよそ９０度となるように折り曲げる。
【００４０】
ただし、段ボール部材１２ａはあらかじめ折り重ねられて、グルーフラップ２３と側壁構成部２１ｄとを貼付した状態で提供される。この場合、接着剤を用いてグルーフラップ２３の表面と側壁構成部２１ｄの裏面、すなわち、内方側に位置する面とを接着することにより貼付することにしてもよいし、いわゆる段ボール専用のステープラを用いて貼り付けることとしてもよい。
【００４１】
次に、底壁構成部２２ａ〜２２ｄの凹部および凸部を嵌め込んで、底壁部１５ａを形成する（Ｓ１２）。この場合、各底壁構成部２２ａ〜２２ｄや側壁構成部２１ａ〜２１ｄを多少変形させながら、凹凸を組み合わせるようにして嵌め込みながら底壁部１５ａを形成する。
【００４２】
次に、一方の外フラップ１９ａを折り曲げ部２５ａに沿って折り曲げ、内蓋部４１ａ、４２ａを形成する（Ｓ１３）。この場合、側壁構成部２１ｃから連なって設けられる外フラップ１９ａを内方側に折り曲げて、内蓋部４１ａ、４２ａを形成する。
【００４３】
次に、一方の外フラップ１９ａを折り曲げ部４９ａ、４９ｂに沿ってさらに折り曲げ、一対の突出部４８ａ、４８ｂを形成する（Ｓ１４）。折り曲げて形成された一対の突出部４８ａ、４８ｂは、内蓋部４１ａ、４２ａから下方側に延びる構成となる。
【００４４】
また、一方の外フラップ１９ａを折り曲げ部２５ｂに沿ってさらに折り曲げ、仕切り部４３を形成する（Ｓ１５）。ここで、トナーカートリッジ１３を内方側に収容する。この場合、内方側にトナーカートリッジ１３を収容させながら、折り曲げてもよい。また、併せて、一方の内フラップ１７ａを折り曲げる。なお、Ｓ１４とＳ１５とは同時で行ってもよいし、順序が前後してもよい。
【００４５】
トナーカートリッジ１３を収容させた後、他方の内フラップ１６ａを内方側に折り曲げる（Ｓ１６）。この時点で、他方の外フラップ１８ａ以外を折り曲げた状態となり、図１に示す状態となる。
【００４６】
次に、一対の延出部３８ａ、３８ｂを折り曲げ部３９ａ、３９ｂに沿って折り曲げながら、他方の外フラップ１８ａを折り曲げ部２４に沿って折り曲げる（Ｓ１７）。この場合、図５に示すように、指２６で延出部３８ａを内方側に折り返すようにして折り曲げる。図５は、延出部３８ａを内方側に折り返すようにして折り曲げた状態を示す図である。
【００４７】
その後、一対の延出部３８ａ、３８ｂを折り曲げた状態を維持したまま、タック３７および一対の延出部３８ａ、３８ｂを挿入孔４４ａに差し込むようにして挿入する（Ｓ１８）。この場合、図６に示すように、指２６で押さえながら一対の延出部３８ａ、３８ｂの折り曲げた状態を維持し、図６中の矢印Ｄ３で示す方向に外蓋部３１側を折り曲げていって、タック３７および一対の延出部３８ａ、３８ｂを挿入孔４４ａに挿入する。図６は、一対の延出部３８ａ、３８ｂを折り曲げた状態を維持したまま、タック３７および一対の延出部３８ａ、３８ｂを挿入孔４４ａに挿入する状態を示す図である。なお、図６において、延出部３８ｂを押さえる指の図示を省略している。
【００４８】
このようにして、この発明の一実施形態に係る梱包箱１１を組み立てる。タック３７および一対の延出部３８ａ、３８ｂを折り曲げて挿入孔４４ａに挿入した後に、折り曲げられた一対の延出部３８ａ、３８ｂはある程度、元の形状に戻る。そして、ある程度元の形状に戻った一対の延出部３８ａ、３８ｂと挿入孔４４ａを構成する壁部としての張り出し部４５ａ、４５ｂとが引っ掛かることにより、側壁部１４ａ側に対して外蓋部３１が閉じた状態を維持するようロックされる。また、側壁部１４ａ側に設けられ、折り曲げられた一対の突出部４８ａ、４８ｂは、梱包箱１１の外部から挿入孔４４ａに挿入された一対の延出部３８ａ、３８ｂに至る経路上に設けられ、他の部材と挿入孔４４ａに挿入された一対の延出部３８ａ、３８ｂとの接触を阻害する。すなわち、阻害機構は、内蓋部４１ａ、４２ａから上記した経路に延びる一対の突出部４８ａ、４８ｂを含む。
【００４９】
この阻害機構の詳細について説明する。図７および図８は、組み立てられた梱包箱１１に薄板状の部材を隙間に挿入した状態を示す図であり、図７は、上側、この場合、梱包箱１１の外方側から見た場合を示す。図８は、下側、この場合、梱包箱１１の内方側から見た図を示す。
【００５０】
図７および図８を参照して、挿入孔４４ａから延出部３８ｂを引き抜いてロック機構を解除するために、側壁部１４ａを構成する側壁構成部２１ｄと外蓋部３１との隙間２８から薄板状の部材２７を挿入し、延出部３８ｂに接触させて、延出部３８ｂを折り曲げた状態、すなわち、挿入孔４４ａに挿入した時の状態にしようとする。しかし、隙間２８から延出部３８ｂに至る経路上には、突出部４８ｂが突出している。したがって、薄板状の部材２７を延出部３８ｂに接触させることができず、延出部３８ｂを折り曲げた状態とすることができない。したがって、このような梱包箱１１は、ロックを解除することが困難となる。
【００５１】
この場合、一対の突出部４８ａ、４８ｂの突出する長さの方がそれぞれ、一対の延出部３８ａ、３８ｂの延出する長さよりも長いため、より確実に他の部材と一対の延出部３８ａ、３８ｂとの接触を阻害することができる。
【００５２】
なお、上記の実施の形態においては、外フラップ１９ａの一部を折り曲げて突出部４８ａ、４８ｂを形成することとしたが、これに限らず、例えば、側壁構成部２１ｃの裏面、すなわち、内方側の面から延びるようにして、梱包箱１１の外部から挿入孔４４ａに挿入された一対の延出部３８ａ、３８ｂに至る経路上に突出部４８ａ、４８ｂを形成するよう構成してもよい。
【００５３】
また、上記の実施の形態においては、突出部および延出部を一対設けることとしたが、これに限らず、延出部が一つの場合は、これに対応するようにして突出部を一つ設ける構成としてもよい。
【００５４】
なお、上記の実施の形態においては、一対の突出部４８ａ、４８ｂの突出する長さの方がそれぞれ、一対の延出部３８ａ、３８ｂの延出する長さよりも長く構成することとしたが、これに限らず、それぞれの長さが同等であってもよいし、一対の突出部４８ａ、４８ｂの突出する長さの方が、一対の延出部３８ａ、３８ｂの延出する長さよりも短くなる構成であってもよい。この場合、より隙間に近い側に突出部を設ける構成とすれば、他の部材と延出部との接触を困難とすることができる。
【００５５】
また、上記の実施の形態において、梱包箱の内方側の所定の箇所に、緩衝材を備える構成としてもよい。
【００５６】
なお、上記の実施の形態においては、段ボール部材を図２に示す形状に打ち抜いて、折り曲げ部で折り曲げて梱包箱を形成することとしたが、これに限らず、一部においては、複数の部材の貼り合わせ等により形成することにしてもよい。
【００５７】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５８】
この発明に係る梱包箱は、ロックの解除の困難性が要求される場合に、特に有効に利用される。
【符号の説明】
【００５９】
１１  梱包箱、１２ａ，１２ｂ  段ボール部材、１３  トナーカートリッジ、１４ａ，１４ｂ  側壁部、１５ａ，１５ｂ  底壁部、１６ａ，１６ｂ，１７ａ，１７ｂ  内フラップ、１８ａ，１８ｂ，１９ａ，１９ｂ  外フラップ、２１ａ，２１ｂ，２１ｃ，２１ｄ  側壁構成部、２２ａ，２２ｂ，２２ｃ，２２ｄ  底壁構成部、２３  グルーフラップ、２４，２５ａ，２５ｂ，３９ａ，３９ｂ，４９ａ，４９ｂ  折り曲げ部、２６  指、２７  部材、２８  隙間、３１  外蓋部、３２ａ，３２ｂ，３５ａ，３５ｂ，３６ａ，３６ｂ  ミシン目、３３ａ，３３ｂ  切り欠き、３４  一部、３７  タック、３８ａ，３８ｂ  延出部、４１ａ，４１ｂ，４２ａ，４２ｂ  内蓋部、４３  仕切り部、４４ａ，４４ｂ  挿入孔、４５ａ，４５ｂ，４７  張り出し部、４６ａ，４６ｂ  貫通孔、４８ａ，４８ｂ  突出部。
【図１】
0006055495.tif 000002
【図２】
0006055495.tif 000003
【図３】
0006055495.tif 000004
【図４】
0006055495.tif 000005
【図５】
0006055495.tif 000006
【図６】
0006055495.tif 000007
【図７】
0006055495.tif 000008
【図８】
0006055495.tif 000009